(57)【要約】【課題】除湿を行う際に、暖房費の増大を抑制することができるようにする。【解決手段】除湿用室内機７３は、ハウス５２内の空気を取り込み、冷たい冷媒（液体）を用いてその空気を冷却し、冷却された空気を、ハウス５２内に送風する。除湿用室外機７４は、除湿用室内機７３からの冷媒（気体）を、内蔵する圧縮機（図示せぬ）を用いて圧縮し、高温にしてから、ファンを回す。ファンを回したことで、取り込まれたハウス５２内の空気は、高温になった冷媒（液体）により温められ、温められた空気がハウス５２内に送風される。本発明は、作物を栽培するハウス内の温度制御を行うハウス温度制御システムに適用することができる。【選択図】図３
2010000050.tif 000002
【特許請求の範囲】
【請求項１】
ハウス内の湿度を測定する湿度センサと、
前記湿度センサにより測定された前記湿度に基づいて、前記ハウス内の湿度を調整するとともに、前記ハウス内の空気を温める第１のエアーコンディショナと
を備え、
前記第１のエアーコンディショナは、前記ハウス内から取り込んだ空気を冷媒を用いて除湿し、除湿された空気を前記ハウス内に送風する第１の装置と、
前記第１の装置からの前記冷媒を圧縮し、ファンを回して、温かい空気を前記ハウス内に送風する第２の装置とで構成される
温度制御装置。
【請求項２】
前記第２の装置は、前記ハウス内に設置される
請求項１に記載の温度制御装置。
【請求項３】
前記ハウス内の温度を測定する温度センサと、
前記温度センサにより測定された前記温度に基づいて、前記ハウス内の空気を温める第２のエアーコンディショナとをさらに備える
請求項２に記載の温度制御装置。
【請求項４】
ハウス内の湿度を測定する湿度センサと、
前記湿度センサにより測定された前記湿度に基づいて、前記ハウス内の湿度を調整するとともに、前記ハウス内の空気を温めるエアーコンディショナとを備える温度制御装置の温度制御方法であって、
前記エアーコンディショナの第１の装置が、前記ハウス内から取り込んだ空気を冷媒を用いて除湿し、除湿された空気を前記ハウス内に送風し、
前記エアーコンディショナの第２の装置が、前記第１の装置からの前記冷媒を圧縮し、ファンを回して、温かい空気を前記ハウス内に送風する
ステップを含む温度制御方法。
【発明の詳細な説明】
【技術分野】
【０００１】
本発明は、温度制御装置および方法に関し、特に、除湿を行う際に、暖房費の増大を抑制することができるようにした温度制御装置および方法に関する。
【背景技術】
【０００２】
トマト、なす、またはメロンなどの作物を栽培する農家においては、それらの作物をハウス内で栽培することもある。ハウス内は密閉された空間であり、夜間、ハウス内の温度が下がってくると、その相対湿度(RH)は、100%近くまで上昇する。相対湿度が80%を超えると、作物に、べと病、つる枯れ病、灰色カビ病などの疫病が多発するため、ハウス内の相対除湿は80%に保つことが望ましい。
【０００３】
従来は、相対湿度を下げるために換気などを行っていたが、これがハウス内における大きな熱量の損失となっていた。
【０００４】
そこで、ヒートポンプ式エアーコンディショナ（以下、単にエアーコンディショナと称する）を冷房機として利用することで、冷房除湿を行うことが提案されている（非特許文献１参照）。
【０００５】
従来の冷房除湿について、図１を参照して説明する。図１に示されるように、エアーコンディショナ１１は、ハウス１内に設置される室内機１２と、ハウス１の外部に設置される室外機１３により構成されている。
【０００６】
エアーコンディショナ１１は、除湿を行う際、室内機１２で、ハウス１内から空気を取り込み、取り込んだ空気を冷媒で冷却し、冷却した空気をハウス１内に戻すことで、ハウス１内の除湿を行っている。その際、ハウス１の外部に設置された室外機１３には、室内機１２からの熱を持った冷媒が送られてくる。室外機１３は、ファンを回して、温風をハウス１の外部に出力することで、室内機１２からの冷媒を冷やし、冷やした冷媒を再度室内機１２に戻している。
【０００７】
【非特許文献１】ネポン株式会社，グリーンパッケージ，[online]，[平成２０年６月１３日検索]，インターネット<URL: http://www.nepon.co.jp/products/agriculture/gp/index.html>
【発明の開示】
【発明が解決しようとする課題】
【０００８】
しかしながら、非特許文献１のシステムでは、暖房用のエアーコンディショナを、除湿用にも用いている。したがって、除湿を行う際には、エアーコンディショナは、暖房を一時停止し、冷房運転を行わなければならない。すなわち、暖房しているハウス内は、一時冷房されてしまう。
【０００９】
除湿が終わるとエアーコンディショナにより再度暖房が行われるが、１時間除湿した後に、ハウス内を元の温度に戻すには、再度１時間の暖房が必要となる。すなわち、１時間除湿するためには２時間の電気エネルギーが必要になってしまう。
【００１０】
本発明はこのような状況に鑑みてなされたものであり、除湿を行う際に、暖房費の増大を抑制することができるようにするものである。
【課題を解決するための手段】
【００１１】
本発明の一側面の温度制御装置は、ハウス内の湿度を測定する湿度センサと、前記湿度センサにより測定された前記湿度に基づいて、前記ハウス内の湿度を調整するとともに、前記ハウス内の空気を温める第１のエアーコンディショナとを備え、前記第１のエアーコンディショナは、前記ハウス内から取り込んだ空気を冷媒を用いて除湿し、除湿された空気を前記ハウス内に送風する第１の装置と、前記第１の装置からの前記冷媒を圧縮し、ファンを回して、温かい空気を前記ハウス内に送風する第２の装置とで構成される。
【００１２】
前記第２の装置は、前記ハウス内に設置されることができる。
【００１３】
前記ハウス内の温度を測定する温度センサと、前記温度センサにより測定された前記温度に基づいて、前記ハウス内の空気を温める第２のエアーコンディショナとをさらに備えることができる。
【００１４】
本発明の一側面の温度制御方法は、ハウス内の湿度を測定する湿度センサと、前記湿度センサにより測定された前記湿度に基づいて、前記ハウス内の湿度を調整するとともに、前記ハウス内の空気を温めるエアーコンディショナとを備える温度制御装置の温度制御方法であって、前記エアーコンディショナの第１の装置が、前記ハウス内から取り込んだ空気を冷媒を用いて除湿し、除湿された空気を前記ハウス内に送風し、前記エアーコンディショナの第２の装置が、前記第１の装置からの前記冷媒を圧縮し、ファンを回して、温かい空気を前記ハウス内に送風するステップを含む。
【００１５】
本発明の一側面の温度制御装置および方法においては、ハウス内の湿度を測定する湿度センサにより測定された前記湿度に基づいて、前記ハウス内の湿度を調整するとともに、前記ハウス内の空気を温めるエアーコンディショナの第１の装置により、前記ハウス内から取り込んだ空気が冷媒を用いて除湿され、除湿された空気が前記ハウス内に送風される。そして、前記エアーコンディショナの第２の装置により、前記第１の装置からの前記冷媒が圧縮され、ファンが回されて、温かい空気が前記ハウス内に送風される。
【発明の効果】
【００１６】
以上のように、本発明の一側面によれば、ハウス内の湿度が調整される。また、本発明の一側面によれば、ハウス内の除湿を行う際に、暖房費の増大を抑制することができる。
【発明を実施するための最良の形態】
【００１７】
以下、図面を参照しながら本発明の実施の形態について説明する。
【００１８】
図２および図３は、本発明を適用したハウス温度制御システムの一実施の形態の構成例を示す図である。すなわち、図２は、図３のハウス温度制御システム５１を左側面側から見た側面図であり、図３は、図２のハウス温度制御システム５１を上から見た上面図である。
【００１９】
図２および図３において、ハウス温度制御システム５１は、外気の温度変化などにより逐次変わるハウス５２内の温度および湿度を管理し、制御する。
【００２０】
ハウス５２は、木材、または鋼材を躯体とし、合成樹脂のフィルムで外壁を被覆した農業用の小屋であり、例えば、１反ほどの広さを有する。このハウス５２内には、図示せぬトマト、なす、またはメロンなどの作物が栽培されている。ハウス５２の被覆材料には、農業用ポリ塩化ビニルフィルムなどが用いられる。
【００２１】
ハウス温度制御システム５１は、エアーコンディショナ６１−１乃至６１−６、除湿用エアーコンディショナ６２、循環ファン６３、温度センサ８１−１乃至８１−６、および湿度センサ８２により構成される。すなわち、ハウス温度制御システム５１は、第１のエアーコンディショナとしての除湿用エアーコンディショナ６２と、第２のエアーコンディショナとしてのエアーコンディショナ６１−１乃至６１−６の２種類の用途別のエアーコンディショナを有している。
【００２２】
なお、図２の例においては、説明の便宜上、図３に示されるエアーコンディショナ６１−３乃至６１−６、温度センサ８１−１乃至８１−６、および湿度センサ８２は省略されている。
【００２３】
エアーコンディショナ６１−１乃至６１−６、および除湿用エアーコンディショナ６２は、図２に示されるように、ハウス５２の地面に設置されており、循環ファン６３は、ハウス５２の上部（天井付近）に設置されている。なお、温度センサ８１−１乃至８１−６、および湿度センサ８２は、作物の高さと同等の高さに配置されるのが望ましい。
【００２４】
エアーコンディショナ６１−１乃至６１−６は、例えば、ヒートポンプ式のエアーコンディショナで構成され、冷媒を用いて、温風または冷風を出力することで、ハウス５２内の温度を調整する。エアーコンディショナ６１−１乃至６１−６においては、冷媒として、化学冷媒、または自然冷媒が用いられる。エアーコンディショナ６１−１乃至６１−６は、それぞれ、室内機７１−１乃至７１−６、および室外機７２−１乃至７２−６で構成される。
【００２５】
なお、以下、エアーコンディショナ６１−１乃至６１−６、室内機７１−１乃至７１−６、および室外機７２−１乃至７２−６を個々に区別する必要がない場合、それぞれ、単にエアーコンディショナ６１、室内機７１、および室外機７２と称する。
【００２６】
室内機７１−１乃至７１−６は、ハウス５２内の壁にそれぞれ沿うように設置されており、室外機７２−１乃至７２−６は、ハウス５２の外部において、ハウス５２の壁を挟んで、室内機７１−１乃至７１−６の傍にそれぞれ設置されている。
【００２７】
すなわち、図３の例においては、室内機７１−１は、ハウス５２の左上隅に設置されており、室内機７１−１と壁を挟んで隣には、室外機７２−１が設置されている。室内機７１−２は、ハウス５２の左下隅に設置されており、室内機７１−２と壁を挟んで隣には、室外機７２−２が設置されている。
【００２８】
室内機７１−３は、室内機７１−１および７１−５の中間の位置に配置されており、室外機７２−３は、ハウス５２の外部の室外機７２−１および７２−５の中間の位置に配置されている。室内機７１−４は、室内機７１−２および７１−６の中間の位置に配置されており、室外機７２−４は、ハウス５２の外部の室外機７２−２および７２−６の中間の位置に配置されている。
【００２９】
室内機７１−５は、ハウス５２の右上隅に配置されており、室内機７１−５と壁を挟んで隣には、室外機７２−５が設置されている。室内機７１−６は、ハウス５２の右下隅に配置されており、室内機７１−６と壁を挟んで隣には、室外機７２−６が設置されている。
【００３０】
室内機７１と室外機７２は、例えば、壁に形成された穴を通して設置された、冷媒を受け渡しする冷媒管により接続されている。なお、図示しないが、室内機７１と室外機７２も、後述する除湿用エアーコンディショナ６２の室内機７３および室内機７４と同様に、液体用と気体用の２つの冷媒管で接続されている。
【００３１】
ハウス５２内を暖房する場合、室外機７２は、ハウス５２の外部の空気を取り込み、内蔵される熱交換器（図示せず）で冷媒（液体）を用いて、その空気から熱を奪う。冷たくなった空気は、室外機７２よりハウス５２の外部に送風される。室外機７２は、外気により温められた（熱を持った）冷媒（気体）を、気体用の冷媒管を介して室内機７１に渡す。
【００３２】
室内機７１は取り込んだハウス５２内の空気を、内蔵される熱交換器（図示せず）で、室外機７２により温められた冷媒（気体）を用いて温め、温められた空気をハウス５２内に出力する。これにより、ハウス５２内が暖房される。なお、空気を温めたことで、冷えた冷媒（液体）は、液体用の冷媒管を介して、室外機７２に戻される。
【００３３】
除湿用エアーコンディショナ６２は、例えば、ヒートポンプ式のエアーコンディショナで構成される。除湿用エアーコンディショナ６２は、エアーコンディショナ６１−５および６１−６の間に配置されており、冷媒を用いて、ハウス５２内の除湿を行う。その際、同時に、除湿用エアーコンディショナ６２は、ハウス５２内の暖房も行う。例えば、除湿用エアーコンディショナ６２においても、冷媒として、化学冷媒、または自然冷媒が用いられる。
【００３４】
除湿用エアーコンディショナ６２は、第１の装置である室内機７３と、第２の装置である室外機７４の２つの装置で構成される。除湿用エアーコンディショナ６２の場合、室内機７３と室外機７４は共にハウス５２内に設置されている。すなわち、室外機７４は、説明の便宜上、室外機と称しているが、実際には、ハウス５２内に設置されている。なお、以下、エアーコンディショナ６１の室内機７１および室外機７２と区別するため、除湿用エアーコンディショナ６２の室内機７３および室外機７４を、適宜、それぞれ、除湿用室内機７３および除湿用室外機７４とも称する。
【００３５】
除湿用室内機７３と除湿用室外機７４は、冷媒を受け渡しする液体用の冷媒管７５および気体用の冷媒管７６により接続されている。除湿用室内機７３は、ハウス５２内の空気を取り込み、内蔵される熱交換器（図示せず）で、冷たい冷媒（液体）を用いてその空気を冷却し、冷却された空気を、ハウス５２内に送風する。このとき、空気が水蒸気の露点温度以下に冷却されるので、空気内の水蒸気が水滴（凝縮水とも称する）となる。この水滴を凝縮水として、除湿用室内機７３は排水する。これにより、ハウス５２内が除湿される。
【００３６】
このとき、水１リットル当たり凝縮熱540kcalが発生する。この凝縮熱を、以下のようにして除湿用室外機７４からハウス５２内に戻すことにより、除湿用室内機７３の冷房除湿による温度低下を相殺することができる。
【００３７】
すなわち、除湿用室内機７３は、発生した凝縮熱と、ハウス５２内の空気を冷却したことで気体になった冷媒を気体用の冷媒管７６を介して、除湿用室外機７４に渡す。除湿用室外機７４は、冷媒（気体）を、内蔵する圧縮機（図示せず）を用いて圧縮し、高温にしてから、ファンを回す。ファンを回したことで、取り込まれたハウス５２内の空気は、内蔵される熱交換器（図示せず）において、高温になった冷媒（液体）などで温められ、温められた空気がハウス５２内に送風される。これにより、除湿用室内機７３の冷房除湿による温度低下が相殺される。
【００３８】
ここで、実際には、除湿用室内機７３には、図示せぬ送風用ファンモータが内蔵されており、送風用ファンモータからの熱も、凝縮熱および冷媒とともに、除湿用室外機７４に送られる。また、実際には、除湿用室外機７４には、図示せぬ圧縮機用モータおよびファンモータが内蔵されており、これらのモータ（送風用ファンモータ、圧縮機用モータ、およびファンモータ）からの発熱（約5KWh）も、圧縮による熱と一緒に、ハウス５２内に送風（放熱）される。
【００３９】
上述したように凝縮熱と除湿用室内機７３の除湿による冷房は相殺されるので、除湿用エアーコンディショナ６２の各モータからの発熱が除湿用室内機７３から放出（送風）されることで、ハウス５２内を暖房することができる。
【００４０】
また、ファンを回したことで放熱（凝縮）された冷媒（液体）は、液体用の冷媒管７５を介して、除湿用室内機７３に戻される。この冷媒（液体）は、除湿用室内機７３において膨張され冷たい冷媒（液体）となる。
【００４１】
循環ファン６３は、エアーコンディショナ６１−１および６１−２の間であって、図２に示されるように、ハウス５２内の天井付近に配置され、常時、送風することで、ハウス５２内の空気を攪拌し、循環させる。
【００４２】
温度センサ８１−１乃至８１−６は、それぞれ、エアーコンディショナ６１−１乃至６１−６から所定の距離をおいて配置されており、ハウス５２内の温度を測定する。湿度センサ８２は、ハウス５２内の中央に配置されており、ハウス５２内の湿度を測定する。
【００４３】
ここで、図３における点線は、対応関係を示している。温度センサ８１−１乃至８１−６は、それぞれ、エアーコンディショナ６１−１乃至６１−６に対応している。そして、温度センサ８１−１乃至８１−６は、それぞれ、エアーコンディショナ６１−１乃至６１−６により温度が調整可能な場所に配置され、エアーコンディショナ６１−１乃至６１−６により調整される温度を測定する。エアーコンディショナ６１−１乃至６１−６は、それぞれ、温度センサ８１−１乃至８１−６により測定された温度に基づいて、ハウス５２内の温度を調整する。
【００４４】
また、湿度センサ８２は、除湿用エアーコンディショナ６２に対応しており、除湿用エアーコンディショナ６２により調整される湿度を測定する。除湿用エアーコンディショナ６２は、湿度センサ８２により測定された湿度に基づいて、ハウス５２内の湿度を調整するとともに、ハウス５２内を温める。
【００４５】
なお、以下、温度センサ８１−１乃至８１−６を個々に区別する必要がない場合、単に温度センサ８１と称する。
【００４６】
また、図２および図３においては、エアーコンディショナ６１が６台、除湿用エアーコンディショナ６２が１台、循環ファン６３が１台の例が示されているが、エアーコンディショナ６１、除湿用エアーコンディショナ６２、および循環ファン６３の台数および配置場所は、図２および図３の例に限らず、それぞれ、２台、３台、さらにそれ以上の複数台で構成することもでき、それらの配置場所も、図２および図３の例に限らない。
【００４７】
温度センサ８１および湿度センサ８２の数も、それらの配置場所も図２および図３の例に限らない。特に、配置場所に関しては、天井付近に配置されたり、地面付近に配置されることもできる。
【００４８】
図４は、図２および図３のハウス温度制御システム５１の電気的構成例を示している。
【００４９】
図４の例において、ハウス温度制御システム５１は、エアーコンディショナ６１−１乃至６１−６、除湿用エアーコンディショナ６２、温度センサ８１−１乃至８１−６、湿度センサ８２、制御部９１、入力部９２、表示部９３、タイマ９４、および記憶部９５により構成される。
【００５０】
エアーコンディショナ６１−１乃至６１−６は、制御部９１の制御のもと、それぞれ、温度センサ８１−１乃至８１−６からの温度の情報に基づいて、ハウス５２内の温度を調整する。除湿用エアーコンディショナ６２は、制御部９１の制御のもと、湿度センサ８２からの湿度の情報に基づいて、ハウス５２内の湿度を調整するとともに、ハウス５２内の空気を温める。
【００５１】
温度センサ８１−１乃至８１−６は、それぞれ、定期的に温度を測定し、測定した温度の情報を、制御部９１に出力する。湿度センサ８２は、定期的に湿度を測定し、測定した湿度の情報を、制御部９１に出力する。
【００５２】
制御部９１は、ユーザによる入力部９２の操作に基づいて、記憶部９５に記憶されている登録済みの温度特性の折れ線を表示部９３に表示させたり、ハウス５２内で作物を栽培するための２４時間の各時刻の温度を設定し、設定した２４時間分の温度特性を、１つの温度特性として記憶部９５に登録する。
【００５３】
制御部９１は、ユーザによる入力部９２の操作に基づいて、記憶部９５に記憶されている登録済みの温度特性の中から１つの温度特性を選択し、そのデータを記憶部９５から読み出す。そして、制御部９１は、所定の間隔で、読み出した温度特性のデータに基づいて、ハウス５２内の温度制御を行う。すなわち、制御部９１は、タイマ９４が計時するクロックを参照し、読み出した温度特性のデータと温度センサ８１−１乃至８１−６からの情報を用いて、エアーコンディショナ６１−１乃至６１−６の動作を制御する。
【００５４】
なお、エアーコンディショナ６１の動作の制御方法としては、エアーコンディショナ６１をそれぞれ自動運転させて、エアーコンディショナ６１の稼動、停止のみを制御することもできるし、エアーコンディショナ６１の設定温度までも制御することもできる。
【００５５】
また、実際には、制御部９１には、入力部９２から座標情報が入力される。制御部９１は、表示部９３に表示された操作ボタンの座標と、入力部９２から入力された座標とを比較し、いずれの操作ボタンがユーザにより操作されたのかを判定することで操作情報を得るが、説明の便宜上、以下においても、制御部９１には入力部９２から操作情報が入力されると説明する。
【００５６】
入力部９２は、例えば、表示部９３に積層されるタッチパネルなどにより構成され、ユーザの操作情報を、制御部９１に出力する。なお、具体的には、入力部９２は、ユーザの操作位置に対応する座標を検出し、検出された座標情報を制御部９１に出力している。表示部９３は、例えば、LCD（Liquid Crystal Display）などの薄型の表示装置で構成され、制御部９１の制御のもと、登録済みの温度特性の折れ線や温度設定画面などを表示する。
【００５７】
タイマ９４は、計時動作を行い、ハウス温度制御システム５１内のクロックを管理している。記憶部９５は、ハウス温度制御システム５１により登録済みの温度特性のデータを記憶している。温度特性は、ハウス５２内の温度を２４時間どのように制御するか、すなわち、ハウス５２内の目標となる２４時間の温度を時刻毎に示したものであり、制御部９１がハウス５２内の温度を制御する際に用いられる。
【００５８】
例えば、記憶部９５には、ハウス温度制御システム５１において予め用意されている平均的な温度特性や、ユーザがハウス温度制御システム５１を用いて過去に自ら設定した温度特性などのデータがすでに登録されている。
【００５９】
なお、記憶部９５には、温度の場合と同様に、湿度特性のデータも登録することもできる。この場合、制御部９１は、タイマ９４が計時するクロックを参照し、選択した湿度特性のデータと湿度センサ８２からの情報を用いて、除湿用エアーコンディショナ６２の動作を制御する。
【００６０】
次に、図４のフローチャートを参照して、除湿用エアーコンディショナ６２の除湿処理について説明する。
【００６１】
除湿用室内機７３は、ステップＳ１１において、ハウス５２内の空気を取り込み、ステップＳ１２において、内蔵される熱交換器で、冷たい冷媒（液体）を用いてその空気を冷却する。空気が水蒸気の露点温度以下に冷却されると、空気内の水蒸気が水滴（凝縮水）となる。すなわち、このとき、空気は、冷却されるとともに、除湿される。
【００６２】
除湿用室内機７３は、ステップＳ１３において、冷却され、除湿された空気を、ハウス５２内に送風する。また、除湿用室内機７３は、ステップＳ１４において、この水滴を凝縮水として図示せぬ排水口より排水する。以上のようにして、ハウス５２内が除湿される。
【００６３】
空気が冷却されたときには、水１リットル当たり540kcalの凝縮熱も発生している。除湿用室内機７３は、ステップＳ１５において、この凝縮熱と、ハウス５２内の空気を冷却したことで気体になった冷媒を気体用の冷媒管７６を介して、除湿用室外機７４に渡す。除湿用室外機７４は、ステップＳ１６において、冷媒（気体）を圧縮し、高温にしてから、ステップＳ１７において、ファンを回し、内蔵される熱交換器で冷媒（液体）などが用いられて温められた空気をハウス５２内に送風する。これにより、除湿用室内機７３の冷房除湿による温度低下が相殺される。
【００６４】
ここで、上述したように、実際には、除湿用室内機７３には、図示せぬ送風用ファンモータが内蔵され、除湿用室外機７４には、図示せぬ圧縮機用モータおよびファンモータが内蔵されている。この送風用ファンモータからの熱は、ステップＳ１５において、凝縮熱および冷媒とともに、除湿用室外機７４に送られ、ステップＳ１７においては、送風用ファンモータ、圧縮機用モータ、およびファンモータからの発熱（約5KWh）も、圧縮による熱と一緒に、ハウス５２内に送風（放熱）される。この結果、ハウス５２内が暖房される。
【００６５】
ファンを回したことで放熱（凝縮）された冷媒（液体）を、除湿用室外機７４は、ステップＳ１８において、液体用の冷媒管７５を介して、除湿用室内機７３に戻す。除湿用室内機７３は、ステップＳ１９において、除湿用室外機７４からの冷媒を膨張する。冷媒は、膨張することで冷やされ、ステップＳ１２においてハウス５２内の空気を冷却、除湿する際に用いられる。
【００６６】
ステップＳ１９の後、処理は、ステップＳ１１に戻り、制御部９１などにより、除湿停止が指示されるまで、それ以降の処理が繰り返される。
【００６７】
以上のように、除湿用エアーコンディショナ６２の室内機７３だけでなく、室外機７４もハウス５２内に設置し、空気を冷却した際に発生する凝縮熱や内蔵するモータの発熱などを、除湿用室外機７４からハウス５２内に放出するようにしたので、ハウス５２内の除湿を行う際に、ハウス５２内の暖房も行われる。
【００６８】
すなわち、従来のエアーコンディショナによる除湿方法では、除湿中、ハウス内の冷房が行われる。１時間除湿運転を行うと、１時間暖房運転を行って初めてハウス内の熱量は等しくなる。
【００６９】
一方、ハウス温度制御システム５１において、除湿用エアーコンディショナ６２は、除湿中、ハウス内の暖房も行っている。例えば、１時間に10lの水蒸気を水に換えると、6.3KWの熱量を得ることができる。この熱量をハウス５２内に設置した除湿用室外機７４から放出（送風）することにより、除湿用室内機７３の除湿冷房による温度低下を相殺することができる。加えて、除湿用エアーコンディショナ６２内に内蔵されるモータの発熱（約5KWh）がハウス５２内に放出（送風）される。これにより、除湿用エアーコンディショナ６２による除湿中、約5KWhの暖房を行っていることになる。
【００７０】
すなわち、除湿用エアーコンディショナ６２による除湿運転は、暖房運転と等しくなる。以上のように、電気代０で除湿ができるとともに、エアーコンディショナ６１の暖房エネルギーを、約5KWh低減させることができる。
【００７１】
なお、上記説明においては、除湿用エアーコンディショナ６２の室外機７４をハウス５２の内部に設置すると説明したが、例えば、ダクトなどを用いて、ハウス５２の空気を取り込み、温かい空気をハウス５２内部に送風することができる構成にすることで、ハウス５２の外部に設置することもできる。
【００７２】
以上のように、本発明によれば、ハウス内の除湿とともに暖房を行うことができる。これにより、除湿によるハウス内の暖房費の増大を抑制することができる。
【００７３】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【００７４】
また、本明細書において、システムとは、複数の装置により構成される装置全体を表すものである。
【００７５】
さらに、本発明の実施の形態は、上述した実施の形態に限定されるものではなく、本発明の要旨を逸脱しない範囲において種々の変更が可能である。
【図面の簡単な説明】
【００７６】
【図１】従来の冷房除湿を説明する図である。
【図２】本発明を適用したハウス温度制御システムの一実施の形態の構成例を示す側面図である。
【図３】図２のハウス温度制御システムを上から見た上面図である。
【図４】図２のハウス温度制御システムの電気的構成例を示すブロック図である。
【図５】図２のハウス温度制御システムの除湿処理を説明するフローチャートである。
【符号の説明】
【００７７】
５１  ハウス温度制御システム，  ５２  ハウス，  ６１−１乃至６１−６  エアーコンディショナ，  ７１−１乃至７１−６  室内機，７２−１乃至７２−６  室外機，  ７３  室内機，  ７４  室外機，  ８１−１乃至８１−６  温度センサ，  ８２  湿度センサ 
【図１】
2010000050.tif 000003
【図２】
2010000050.tif 000004
【図３】
2010000050.tif 000005
【図４】
2010000050.tif 000006
【図５】
2010000050.tif 000007